(57)【要約】【課題】公害を一切出さず、外部から常にエネルギー供給及びエネルギーに変化する原料の供給の必要がない。しかも安価で条件許容範囲内に動力をたくさん得ることができる。【解決手段】本考案は、周波、共振力、遠心力、重心力の４つの要素で構成され、装置の主な部分は振り子、バランサー増力、伝動、周波発生、発電の5つを分けて考えている。磁石の異極の接近、離れの切り替え、または電磁装置に電源の切り替えにより周波発生し、振り子を振動与えことにより振り状態は永久に保持できる。つぎは重心力原理を利用しバランサー装置の許容範囲内に無限に動力を増大することができることにより、出力大きな発電機をつけることが可能になる。【選択図】  図３
2011050232.tif 000002
【特許請求の範囲】
【請求項１】
振り子装置（１）を振り続けるため、周波発生器（３）に、図９のように磁石の異極の
接近、離れの切り替えにより周波発生し、振り子の重心力を利用している衝撃棒（４）が振り子に振動与えことにより振り状態は永久に保持できる。磁石シリンダ機械式周波器（４１）とを有する動力装置
【請求項２】
請求項１記載の動力装置において、周波発生器（３）に磁石シリンダ機械式周波器（４１）を変わりに磁石レバー機械式衝撃周波器とを有する動力装置
【請求項３】
請求項１記載の動力装置において、周波発生器（３）に磁石シリンダ機械式周波器（４１）を変わりに電磁式周波器（４２）とを有する動力装置
【請求項４】
請求項１記載の動力装置において、さらに直接振り子装置（１）に周波を与える電磁周波発生器（７）とを有する動力装置
【請求項５】
本装置、発電機等回転するときに生じた負荷を減軽するため、バランサー（２）を本体に組み付けることにより、大きな発電機の取り付けが可能となる動力装置
【請求項６】
小さなエネルギー消費（同極磁石の接近の為使用した力）、大きなエネルギーの獲得（磁石自身の金属を引き寄せる力の利用）が実現可能になる動力装置
【請求項７】
永久磁石（１５）と磁石付コンロット（２１）が接触しようとするが、同質極波排除性質を利用するので接触しないため騒音公害がでない。また衝撃により部品を壊すのが防げる動力装置
【請求項８】
センサー（２９）は振り子装置（１）の振り幅の大小が感知でき、周波のコントロールが可能になるため衝撃棒（４）の落ちる回数、タイミング等をコントロールができる永久に動く動力装置
【発明の詳細な説明】
【技術分野】
【０００１】
本発明は、周波を用いた共振力、遠心力、重心力を利用して振り続け、回転する技術に関する。
【背景技術】
【０００２】
振り子時計のように振り子の遠心力と周波を利用して時計の針の回転運動を生じるものが知られている。
【０００３】
共振力は一定の間隔で力を与えると巨大な力を生じる自然現象が知られている。
【０００４】
永久磁石の磁力ON/OFFの切替で、リフティングマグネットや定規用ホルダベース等に活用しているものが知られている。
【０００５】
従来、重い工具等上下移動の重労働を減軽する為、バランサーを利用して、重いものを無重力状態に生じるものが知られている。
【発明の概要】
【発明が解決しようとする課題】
【０００６】
本発明は燃料を使用せずそのため廃棄物を出さない。なお自然影響に左右されず動力や電力を得ることを目的とする。
【課題を解決するための手段】
【０００７】
本考案は、周波、共振力、遠心力、重心力の４つの要素で構成され、装置の主な部分は振り子、バランサー増力、伝動、周波発生、発電の5つを分けて考えている。永久磁石の同極と異極の接近、離れの切り替えにより周波と振動を生じる。振り子は周波と振動を受け、パワーを蓄え発生する。機械伝動及び発電から増加した大きな抵抗もバランサーを利用して減軽される。
【発明の効果】
【０００８】
本発明は、自然破壊するものは一切出さず、しかも自然からの影響が少ない（地震を除く）。また、本発明の設備、付属品等は安価であるため、世界への普及を容易にできるものを提供しようとするのである。
【図面の簡単な説明】
【０００９】
【図１】全体の動力装置のイメージ図である。
【図２】磁石レバー機械式衝撃周波器のイメージ図である。
【図３】装置の動力発生のイメージ図である。
【図４】周波、共振力、遠心力、動力発生原理図である。
【図５】電磁周波作動イメージ図である。
【図６】電磁周波器ユニット原理イメージ図である。
【図７】重心バランサー原理図である。
【図８】磁石からの動力発生原理図である。
【図９】磁石シリンダー機械式衝撃周波器イメージ図である。
【図１０】電磁式周波器イメージ図である。
【発明を実施するための形態】
【００１０】
図面に基づき本発明の実施の形態について説明する。図１は、本発明の実施の形態を示している。図１に示すように、振り子装置１は衝撃棒４、周波発生器３または電磁周波発生器７より周波を受け振回る。電磁周波発生器７は消耗力（量）が発生力（量）より小さい為、その余力を発電機に回すことになる。余力発生の原理は図４のように循環運動により力を引き出し、バランサー２と重心力を重ねる衝撃棒４により動力を増大し、大きなパワーが得られる。
【実施例１】
【００１１】
図面２に基いて詳細に説明する。振り子装置1が左に振れると、左側のコンロッド１６が上に移動し、左側のコネクチング・ロッド２４が動き、磁石構成部分（ホルダーベース仕様）のレバーセット２７が左に振れると磁場が無くなる為、開閉構成部分１３が開ける。右側の衝撃棒４の重力により磁石付コンロット２１に衝撃を与え、槓杆６を動かし振り子装置１が揺れる。開閉構成装置１３を付け、振り子装置１の遠心力により永久に左右振り動く。原理は図８の磁石からの動力発生、図面９の磁石シリンダー機械式衝撃周波器の通りである。
【００１２】
図面９の磁石シリンダー機械式衝撃周波器４１について説明する。振り子装置１が右へ振ると、左側のキャリア装置付ピストン２３が上に移動する。下の永久磁石４８の上面にはＳ極と上の永久磁石４４の下面Ｓ極が近づくと磁場が無くなる為、上の永久磁石４４に吸着している吸着体２６は衝撃棒４の重力により上の永久磁石４４から離れる。衝撃棒４は重力により落ち、磁石付コンロット２１に衝撃を与え、槓杆６と振り子装置１を振り動かす。槓杆６と振り子装置１を振り戻すとキャリア装置付ピストン２３は下がり、下の永久磁石４８も下がる。上の永久磁石４４の磁場が発生すると吸着体２６を吸着する。その繰り返しによって周波振動及び振り子装置１の遠心力により永久に左右に振り回す。その原理図は図８である。
【００１３】
振り子装置１の振りスピードは電磁周波発生器７で調整する。
【００１４】
電磁周波発生器７の構造については図６である。
【００１５】
図９のように片方式の動力装置でも、図１のように左右に動力装置を備え付けることも可能となる。
【００１６】
大きな動力を得るためにバランサーを使用し、図７のイメージで下記の数式にて必要な動力を設定し計算の例を示す。
【００１７】
（数１）
必要動力X＝動く動力a＋固定力b（重心力かスプリング反発力）−固定力ｃ
【００１８】
上記の数式、例において小さな力で大きな動力が得る効果がある。
【００１９】
図面１０の電磁式周波器４２について説明する。電磁式周波器は図面９の磁石シリンダー機械式衝撃周波器に換えることが可能で、動き方は図面９の磁石シリンダー機械式衝撃周波器と同じである。  
【００２０】
図面５は振り子装置１と電磁周波発生器７の作動関係図である。振り子装置１は電磁周波発生器７から一定間隔で周波を受け、振り回すことになる。
【００２１】
図面６の電波周波器ユニット原理に基づき説明する。電磁周波発生器７及び電磁式周波器４２の原理である。センサー２９は振り子から信号を受け、コントロールスイッチ３０がONになると磁石周波発生器２８が磁場発生する。一定時間になるとコントロールスイッチ３０がOFFになり磁場が消失になる。このように繰り返し磁場周波が発生する。
【実施例２】
【００２２】
図面３に基いて説明する。振り子装置1が右に振れると槓杆６の右側が上に、左側が下に、その時事前に設定していた右側のバランサー２のバランサーの力（ｋｇ）＝発電機の抵抗（ｋｇ）＋本装置静止するときの抵抗（ｋｇ）であるが、振り子装置１の遠心力と左側の衝撃棒４の重心力によって振り子はさらに右に上がる。バランサーについても図９のように片方式の動力装置でも、左右に動力装置を備え付けも可能となる。
【産業上の利用可能性】
【００２３】
本考案の実施により、発電機をつければ遠隔地、離島等へ膨大な送電設備が不要になり、一軒家やマンション毎に設置することが可能になる。
【符号の説明】
【００２４】
１．振り子装置
２．バランサー
３．周波発生器
４．衝撃棒
５．固定フレーム
６．槓杆
７．電磁周波発生器
８．伝動ホイル
９．フライホイル
１０．発電機
１１．エキセントリックホイル
１２．ピストン
１３．開閉構成部分
１４．ワイヤ・ロープ
１５．磁石
１６．コンロット
１７．ベルト
１８．プーリ
１９．振り子バー
２０．振り子バック
２１．磁石付コンロット
２２．振り子重量調整器
２３．キャリア装置付ピストン
２４．コネクチング・ロッド
２５．磁石周波
２６．吸着体．
２７．レバーセット
２８．磁石周波発生器
２９．センサー
３０．コントロールスィッチ
３１．サブ電源
３２．電磁周波
３３．遠心力
３４．共振力
３５．周波数
３６．動力
３７．９ｋｇ
３８．１０ｋｇ
３９．１ｋｇ以上力の動き
４０．ガイド
４１．磁石シリンダ機械式周波器
４２．電磁式周波器
４３．磁場（吸着力）有無変化区間
４４．接近力
４５．シリンダ
【図１】
2011050232.tif 000003
【図２】
2011050232.tif 000004
【図３】
2011050232.tif 000005
【図４】
2011050232.tif 000006
【図５】
2011050232.tif 000007
【図６】
2011050232.tif 000008
【図７】
2011050232.tif 000009
【図８】
2011050232.tif 000010
【図９】
2011050232.tif 000011
【図１０】
2011050232.tif 000012